(57)【要約】【課題】寺院の参拝用に使用する座椅子であって、背もたれがあって座り易く、立ち上がり易く、しかも座った状態が安定し、一方、収納時には積み上げることが出来る参拝用座椅子の提供。【解決手段】本発明の座椅子はボックス型を成して正面板５、両側板６，６、及び背面板から成る脚２にて台座１が支持されている。正面板５には大きな開口８が形成され、台座１には持手穴１０，１０を形成した補助板３，３と背もたれ４を設け、該補助板３，３は台座１の側面縁７，７、正面縁１３，１３、及び背面縁に脚２が載る載置スペース１１，１４を設けている。【選択図】　　　　図１
2004089562.tif 000002
【特許請求の範囲】
【請求項１】
寺院の参拝用に使用する座椅子であって、該座椅子はボックス型を成して正面板、両側板、及び背面板から成る脚にて台座が支持され、正面板には大きな開口が形成され、そして台座には持手穴を形成した補助板と背もたれを設け、該補助板は台座の側面縁、正面縁、及び背面縁に脚が載る載置スペースを設けたことを特徴とする参拝用座椅子。
【請求項２】
上記補助板及び背もたれの台座からの高さを脚の高さより低くした請求項１記載の参拝用座椅子。
【請求項３】
上記台座の高さを２６ｃｍ以下とした請求項１、又は請求項２記載の参拝用座椅子。
【発明の詳細な説明】
【０００１】
【発明の属する技術分野】
本発明は寺院において念仏する場合、又は講和を聴講する場合に使用する座椅子に関するものである。
【０００２】
【従来の技術】
今昔を問わず寺院へ出かけてお参りする人は多く、長時間にわたって念仏を唱え、又長時間にわたって講和を聴講する。１０分〜２０分程度であるならばそれ程苦痛ではないが、１時間又はそれ以上にわたって座り続けることは足がシビレ、足腰が痛くなる。特に、年老いた老人ともなれば、膝関節が悪くて座ることが出来ない人が多く、寺院へお参りすることすら出来ないことになる。
【０００３】
勿論、老人だけでなく、比較的若い人にとっても長時間にわたって座り続けることは苦痛である。特に正座した状態で座り続けることは容易でない。そこで、椅子を用いることで長時間にわたる念仏及び講和に対応することが出来るが、図４は従来の座椅子を示している一例である。（ａ）は単独の座椅子を表わし、（ｂ）は該座椅子を積み重ねた場合を示している。
【０００４】
上記座椅子はフレームを曲げ成形して対を成す２本の脚（イ）、（イ）を有している。両脚（イ）、（イ）は下端部が広がった形状と成っていることで安定し、該脚（イ）、（イ）の上端部には横桟（ロ）、（ロ）が水平に取着され、この横桟（ロ）、（ロ）に座板（ハ）が水平に載置されている。そこで、参拝者は座椅子の座板（ハ）に座ることが出来、長時間にわたって着座しても足がシビレルことはないが、背もたれが無い為に楽ではない。ただし、収納する場合には、両脚（イ）、（イ）が下方に広がった形状と成っている為に、（ｂ）に示しているように積み重ねる事が出来る利点はある。
【０００５】
図５は参拝用の椅子に限定されるのもではなく、一般の事務用椅子としての使用も可能であるが、該椅子には背もたれ（ニ）が備わっていることで、長時間着座しても比較的楽である。又、両脚（ニ）、（ニ）は下端部が広く成っている為に、（ｂ）に示す如く積み重ねることが出来る。しかし、該椅子には肘掛けが無く、椅子から立ち上がる際に手で身体を支えることが出来ない。すなわち、かなり年老いた老人は足腰が弱く、手で支えなくては立ち上がることが容易でない。
【０００６】
一方、図４及び図５に示す椅子は座板を支える脚（イ）、（ホ）はフレームで構成されている為に風が通り抜け、冬の寒い時に長時間座っているならば足元が冷えてしまう。さらに、フレームから成る細い脚（イ）、（ホ）は座板を支える安定性が不足し、座った状態の落ち着きが欠ける。
【０００７】
【発明が解決しようとする課題】
このように、従来の参拝用椅子には上記のごとき問題がある。本発明が解決しようとする課題はこの問題点であって、背もたれがあって座り易く、又立ち上げり易く、しかも座った状態が安定し、収納時には積み重ねることが出来る参拝用座椅子を提供する。
【０００８】
【課題を解決する為の手段】
本発明に係る参拝用座椅子は、ボックス型を成して脚は四方に形成されて、正面板、両側板、及び背面板にて構成され、しかし正面板は大きな開口を有している。従って、座椅子の安定性は高く、座った状態が楽である。そして、台座の両側には補助板が起立し、背後には背もたれが設けられている。又、補助板には手が入る持手穴が貫通して形成され、該持手穴に手を入れて参拝用椅子を持ち運びし易いようにしている。
【０００９】
そして、上記補助板は座板の側面縁から内側に位置し、又補助板の正面及び背面も座板の縁から内側に設けられている。すなわち、補助板の前後及び外側には載置スペースが形成され、上方へ積み上げられて載る参拝用椅子の脚が該載置スペースに載ることが出来る。すなわち、補助板を内側にして脚が載置スペースに載ることが出来る。又、補助板及び背もたれの高さは脚の高さと同じ、又は低くなっている。以下、本発明に係る参拝用座椅子を図面に基いて詳細に説明する。
【００１０】
【実施例】
図１は本発明に係る参拝用座椅子を表わしている実施例である。該参拝用座椅子はその外観をボックス型とし、台座１は脚２によって支持され、台座１の上には両補助板３，３と背もたれ４が設けられている。脚２は正面板５、両側板６，６、及び背面板（図示なし）で構成され、上記台座１の側面縁７，７、正面縁１３、及び背面縁から下方へ延びている。
【００１１】
そして、正面板５には大きな開口８が形成され、両側板６，６の下端には小さな開口９，９が形成され、さらに背面板の下端にも小さな開口が設けられている。従って、正面板５に形成している大きな開口８には台座１に座った状態で足が脚内部に入ることが出来、すなわち正面板５に足が当らない為に座り心地が良くなる。
【００１２】
又、両側板６，６及び背面板には大きな開口が無い為に、冬の寒い時に長時間座っていても足元に風が入って冷えることはない。そして台座１の上面は畳面と成っていて、寺院の畳間に置かれる参拝用座椅子に調和している。
【００１３】
台座１の両側には補助板３，３が起立し、背後には背もたれ４が両補助板３，３の後方端に取着されている。補助板３，３には横に長い持手穴１０，１０が貫通して設けられ、該持手穴１０，１０に手を入れて参拝用座椅子を持上げることが出来る。
【００１４】
そして左右の補助板３，３は台座１の両側面縁７，７から載置スペース１１，１１を残して内側に起立し、又該補助板３，３の正面１２は台座１の正面縁１３から載置スペース１４を残して後退している。同じく、補助板３，３の背面は台座１の背面縁から載置スペース（図示なし）を残している。ここで、上記側面縁７と補助板３間の載置スペース１１、正面縁１３と補助板正面１２間の載置スペース１４、及び背面縁と補助板背面との間の載置スペースは、脚２を構成する側板６及び正面板５、それに背面板の厚さとほぼ同じ大きさと成っている。
【００１５】
図２は図１の参拝用座椅子を積み重ねた場合を示しているが、台座１の周囲には載置スペース１１，１１，１４…が形成されている為に、参拝用座椅子の脚２は上記載置スペース１１，１１，１４…に載って積み重ねられる。すなわち、脚２の側板６，６は補助板３，３を内側にして載置スペース１１，１１に載り、正面板５は補助板３，３の正面１２，１２を内側にして載置スペース１４，１４に載る。さらに、脚２の背面板は補助板３，３の背面を内側にして台座１の背面縁との間に形成している載置スペースに載る。
【００１６】
このように、上に載置される参拝用座椅子は、下側の補助板３，３をガイドにして脚２が位置ズレすることなく載置される。図３は本発明の参拝用座椅子を階段状に積み重ねた場合を示している。正面板５、両側板６，６及び背面板から成る脚２が補助板３，３をガイドとして安定して積み重ねられることで、階段状にすることが出来る。寺院に参拝する参拝者は多く、その為に参拝者が座る座椅子は数多く必要となる。そこで、該座椅子が不要な場合には、同図のように積み重ねて階段状にすることが出来、寺院の高い天井に吊設している電灯の笠を交換したり、又天井の汚れを拭くなどの作業の際に使用することも可能である。
【００１７】
階段状にした場合に、上り下りに背もたれが障害にならないように、脚２の高さより低くなっている。そして、台座の上面は畳面となっている為に上り下りの足元は安定する。以上述べたように、本発明の参拝用座椅子はボックス型を成し、台座には両補助板と背もたれを設けたものであり、次のような効果を得ることが出来る。
【００１８】
【発明の効果】
本発明の参杯用座椅子はボックス型を成し、台座には両側板と背もたれを設けている為に、背もたれにもたれて長時間にわたって楽に座ることが出来る。そして立ち上がる際には、両補助板に手を載せて身体を支えることが出来る為に、特に年老いた老人には立ち座りに便利である。又、補助板には持手穴が貫通して形成されていて、持ち運びが容易になる。
【００１９】
一方、本発明の参拝用座椅子は上方へ積み重ねることが出来るが、補助板をガイドとして脚の内側に嵌る為に該座椅子は正しく位置決めされ、ガタ付くことなく積み上がる。そして、積み上がった状態では、補助板は脚の内部に収容される為に、側面に凹凸がなくて奇麗に積み上げることが出来る。さらに、補助板がガイドと成ることで、階段状に積み上げて寺院の天井掃除など、ハシゴ代わりに使用出来る。
【００２０】
該座椅子の脚は正面板が大きく開口している為に、座った状態で足が脚内部空間に入ることが出来、すなわち、足は正面板が足に当らない。しかし、両側板及び背面板には大きな開口がない為に、空気が通り抜け難く、冬の寒い時でも脚に毛布を掛けるならば、足元は冷えない。
【００２１】
一方、本発明の座椅子はその台座の高さが低く抑えてある為に、該座椅子に座った状態で前の人が邪魔にならず、後列で背丈が高い人の場合には、該座椅子を２個重ねて使用することも可能である。
【図面の簡単な説明】
【図１】本発明に係る参拝用座椅子を示す実施例。
【図２】座椅子を積み重ねた状態。
【図３】座椅子を積み重ねて階段状にした場合。
【図４】従来の座椅子。
【図５】従来の座椅子。
【符号の説明】
１　台座
２　脚
３　補助板
４　背もたれ
５　正面板
６　側板
７　側面縁
８　開口
９　開口
１０　持手穴
１１　載置スペース
１２　正面
１３　正面縁
１４　載置スペース
【図１】
2004089562.tif 000003
【図２】
2004089562.tif 000004
【図３】
2004089562.tif 000005
【図４】
2004089562.tif 000006
【図５】
2004089562.tif 000007